(57)【特許請求の範囲】
【請求項１】
所定の端末から入力された所定の運転免許証の更新情報を所定の管理装置に送出するステップと、
前記更新情報に基づいて、前記管理装置に記憶されている前記運転免許証の免許証情報を更新する更新ステップと、
所定の撮像装置を用いて撮像された前記運転免許証に対応する顔画像の情報と、更新済みの前記免許証情報を所定の印刷装置および画像ファイリング装置に送出するステップと、
前記画像ファイリング装置において、前記顔画像の情報と前記免許証情報とを対応付けて所定のデータベースに登録するステップと、
前記印刷装置において、前記顔画像の情報と、前記顔画像の情報に対応する前記免許証情報とに基づいて、運転免許証を印刷するステップと
を備え、
前記免許証情報の更新履歴を示す更新履歴情報を前記管理装置に記憶させるステップと、
前記顔画像の情報と前記免許証情報の登録履歴を示す登録履歴情報を前記画像ファイリング装置に記憶させるステップと、
前記更新履歴情報と、前記登録履歴情報とに基づいて、登録漏れをチェックするステップと
をさらに備えることを特徴とする免許証更新方法。
【請求項２】
前記顔画像情報は、前記印刷装置および前記画像ファイリング装置に同時に送出されることを特徴とする請求項１に記載の免許証更新方法。
【請求項３】
前記印刷装置において、前記運転免許証が印刷されるステップと、前記画像ファイリング装置において、前記免許証情報と前記顔画像の情報とが登録されるステップとは、ほぼ同時に行われることを特徴とする請求項１または２に記載の免許証更新方法。
【請求項４】
前記画像ファイリング装置に登録された前記免許証情報および前記顔画像の情報を検索するステップと、検索結果を表示するステップとをさらに備えることを特徴とする請求項１，２または３に記載の免許証更新方法。
【請求項５】
前記印刷装置は、前記画像ファイリング装置に登録された前記顔画像の情報と、前記顔画像の情報に対応する前記免許証情報とに基づいて、前記運転免許証を印刷することを特徴とする請求項１乃至４のいずれかに記載の免許証更新方法。
【発明の詳細な説明】
【０００１】
【発明の属する技術分野】
本発明は、免許証更新方法に関し、特に、運転免許証の免許証情報と顔画像情報とを電子化して、運転免許証の更新を行う免許証更新方法に関する。
【０００２】
【従来の技術】
従来、免許更新者の顔写真は申請書に貼付され、手作業で仕分けされてキャビネット等に保管されていた。また、運転免許証の紛失等で再発行が必要となり、免許更新者が本人であるか否かを確認する際は、キャビネットの中から手作業で該当する申請書を探し出し、本人確認を行っていた。
【０００３】
【発明が解決しようとする課題】
しかし、この従来技術には次のような問題点があった。第１の問題点は、顔画像の保管方法が申請書という紙文書であるため、免許人口分の保管場所を確保するためには広いスペースが必要となることである。
【０００４】
第２の問題点は、免許更新者が本人であるか否かを確認する際は、キャビネットから手作業で申請書を探さねばならず、確認までに時間がかかることである。
【０００５】
第３の問題点は、長い時間保管することと、保管場所の環境等によって、顔写真や申請書が劣化し、正確な顔画像の確認が取れない場合があることである。
【０００６】
本発明はこのような状況に鑑みてなされたものであり、運転免許証の更新を簡単かつ迅速に行うことができるようにするものである。
【０００７】
【課題を解決するための手段】
請求項１に記載の免許証更新方法は、所定の端末から入力された所定の運転免許証の更新情報を所定の管理装置に送出するステップと、更新情報に基づいて、管理装置に記憶されている運転免許証の免許証情報を更新する更新ステップと、所定の撮像装置を用いて撮像された運転免許証に対応する顔画像の情報と、更新済みの免許証情報を所定の印刷装置および画像ファイリング装置に送出するステップと、画像ファイリング装置において、顔画像の情報と免許証情報とを対応付けて所定のデータベースに登録するステップと、印刷装置において、顔画像の情報と、顔画像の情報に対応する免許証情報とに基づいて、運転免許証を印刷するステップとを備えることを特徴とする。
また、顔画像情報は、印刷装置および画像ファイリング装置に同時に送出されるようにすることができる。
また、印刷装置において、運転免許証が印刷されるステップと、画像ファイリング装置において、免許証情報と顔画像の情報とが登録されるステップとは、ほぼ同時に行われるようにすることができる。
また、画像ファイリング装置に登録された免許証情報および顔画像の情報を検索するステップと、検索結果を表示するステップとをさらに備えるようにすることができる。
また、印刷装置は、画像ファイリング装置に登録された顔画像の情報と、顔画像の情報に対応する免許証情報とに基づいて、運転免許証を印刷するようにすることができる。
また、免許証情報の更新履歴を示す更新履歴情報を管理装置に記憶させるステップと、顔画像の情報と免許証情報の登録履歴を示す登録履歴情報を画像ファイリング装置に記憶させるステップと、更新履歴情報と、登録履歴情報とに基づいて、登録漏れをチェックするステップとをさらに備えるようにすることができる。
本発明に係る免許証更新方法においては、所定の端末から入力された所定の運転免許証の更新情報を所定の管理装置に送出し、更新情報に基づいて、管理装置に記憶されている運転免許証の免許証情報を更新し、所定の撮像装置を用いて撮像された運転免許証に対応する顔画像の情報と、更新済みの免許証情報を所定の印刷装置および画像ファイリング装置に送出し、画像ファイリング装置において、顔画像の情報と免許証情報とを対応付けて所定のデータベースに登録し、印刷装置において、顔画像の情報と、顔画像の情報に対応する免許証情報とに基づいて、運転免許証を印刷する。
【０００８】
【発明の実施の形態】
本発明は、運転免許証の更新時に、デジタルカメラ等により免許更新者の顔の画像を撮影し、撮影した顔の画像に対応するデジタルのデータ（電子顔画像）を、所定のデータベースへ登録するとともに、所定の端末からの照会要求に対して、顔画像の検索及び表示を行うものである。
【０００９】
図１は、本発明を応用した免許証更新システムの第１の実施の形態の構成例を示す図である。以下、第１の実施の形態の概要について説明する。図１に示すように、運転免許証の更新作業を行う免許担当者は、免許証更新窓口に設置された免許登録端末１０を用いて免許更新者の情報（免許更新情報）を入力し、通信ネットワーク１００を介して免許管理コンピュータ２０へ送出する。免許管理コンピュータ２０は、免許更新者の情報（免許更新情報）を受け取ると、新しく発行する免許証情報を生成し、既に記憶している免許証情報の更新を行う。
【００１０】
免許証情報が更新されると、免許担当者は、免許カメラ３０を用いて免許更新者の免許証番号を入力し、免許管理コンピュータ２０へ通信ネットワーク１００を介して送出する。免許管理コンピュータ２０は、免許更新者の免許証番号を受け取ると、記憶している免許証情報の中から、上記免許証番号に対応する免許証情報を抽出し、免許カメラ３０へ送出する。
【００１１】
免許カメラ３０が免許管理コンピュータ２０から送られてきた免許証情報を受け取ると、免許担当者は、免許更新者の顔画像を撮影し、免許証情報と顔画像情報を、免許プリンタ４０に送出するとともに、画像ファイリングサーバ５０へも送出する。
【００１２】
免許プリンタ４０は、免許カメラ３０から送られてきた免許証情報と顔画像情報を受け取ると、運転免許証を作成する。画像ファイリングサーバ５０は、免許カメラ３０から送られてきた免許証情報と顔画像情報を受け取ると、データベースへの登録を行う。
【００１３】
顔画像の照会を行う場合、免許担当者は、画像照会端末６０を用いて検索条件を入力し、入力した検索条件を画像ファイリングサーバ５０へ送出する。画像ファイリングサーバ５０は、画像照会端末６０から送られてきた検索条件を受け取ると、データベースから検索条件に該当する免許証情報と顔画像情報を抽出し、画像照会端末６０へ検索結果として送出する。画像照会端末６０は、画像ファイリングサーバ５０から送られてきた検索結果としての免許証情報と顔画像情報を受け取ると、表示装置の画面に上記検索結果を表示する。
【００１４】
次に、図１を参照して、第１の実施の形態の構成について詳細に説明する。図１に示すように、第１の実施の形態は、免許登録端末１０と、免許管理コンピュータ２０と、免許カメラ３０と、免許プリンタ４０と、画像ファイリングサーバ５０と、画像照会端末６０と、これらを相互に接続するＷＡＮ（ｗｉｄｅ  ａｒｅａ  ｎｅｔｗｏｒｋ）等の通信ネットワーク１００から構成される。
【００１５】
免許登録端末１０は、ワークステーション等の情報処理装置である。免許登録端末１０は、免許証更新に必要な免許証番号、生年月日、性別、氏名、住所、免許条件等の情報を入力し、通信ネットワーク１００を介して免許管理コンピュータ２０へ送出する機能を有している。
【００１６】
免許管理コンピュータ２０は、汎用コンピュータ等の情報処理装置である。免許管理コンピュータ２０は、運転免許証の氏名、住所、有効期限、免許証番号等の情報を互いに関連付けた情報（以下、免許証情報と記載する）を記憶しており、新しい免許証情報を生成する機能、及び免許証情報を更新する機能を有している。また、免許カメラ３０が送出した免許証番号を受け取り、この免許証番号に対応する免許証情報を抽出し、免許カメラ３０に送出する機能も有している。また、免許証情報の更新履歴情報を図示せぬ記憶装置に記憶し、画像ファイリングサーバ５０に送出する機能を有している。また、免許管理コンピュータ２０は、免許証情報を画像照会端末６０に送出する機能を有している。
【００１７】
免許カメラ３０は、電子画像を撮影する機能を有する、顔画像撮影装置である。また、免許カメラ３０は、免許証番号を入力するための図示せぬ入力装置を備え、入力装置を用いて入力された免許証番号を免許管理コンピュータ２０へ送出し、免許管理コンピュータ２０から送られてきた上記免許証番号に対応する免許証情報を受け取る機能を有している。
【００１８】
また、免許カメラ３０は、免許更新者の顔画像を電子情報として撮影し、電子化した顔画像情報と、免許管理コンピュータ２０から受け取った免許証情報を免許プリンタ４０及び画像ファイリングサーバ５０へそれぞれ送出する機能を有している。また、免許カメラ３０は、免許管理コンピュータ２０から免許証情報を取得する機能を有している。また、免許カメラ３０は、通信ネットワーク１００を経由して、直接、免許管理コンピュータ２０とデータの送受信を行う機能を有している。
【００１９】
免許プリンタ４０は、免許カメラ３０が送出した免許証情報と顔画像情報を受け取り、所定の用紙に顔画像と免許証情報を印刷することにより、運転免許証を作成する機能を有する免許証作成プリンタである。
【００２０】
画像ファイリングサーバ５０は、サーバ等の情報処理装置である。画像ファイリングサーバ５０は、免許カメラ３０が送出した免許証情報と顔画像情報を受け取り、内蔵する図示せぬアレイディスク等の記憶装置のデータベースに登録する機能を有している。対応する免許証情報と、この免許証情報に対応する顔画像情報とは、互いに関連付けられており、免許証情報から顔画像情報を検索することができるようになっている。また、画像ファイリングサーバ５０は、画像照会端末６０が送出した検索条件を受け取り、この検索条件に対応する免許証情報と顔画像情報をデータベースから抽出し、画像照会端末６０へ送出する機能を有している。
【００２１】
画像ファイリングサーバ５０は、アレイディスク等の記憶装置にデータベースとして登録された免許証情報と顔画像情報に対して、その他に検索用のデータベース等を作らずとも、直接、検索及び抽出を行う機能を有している。また、画像ファイリングサーバ５０は、記憶装置のデータベースに登録された免許証情報と顔画像情報の登録履歴情報を記憶しており、免許管理コンピュータ２０から免許証情報の更新履歴情報を受け取り、画像ファイリングサーバ５０内にある免許証情報及び顔画像情報の登録履歴情報と比較することにより、免許証情報及び顔画像情報の登録漏れをチェックする機能を有している。また、画像ファイリングサーバ５０は、免許証情報と顔画像情報を画像照会端末６０に送出する機能を有している。
【００２２】
画像照会端末６０は、パーソナルコンピュータ等の情報処理装置である。画像照会端末６０は、検索条件を入力するための図示せぬ入力装置と各種情報を表示する表示装置を備えており、この入力装置を用いて入力された、顔画像を照会するための検索条件を、画像ファイリングサーバ５０へ通信ネットワーク１００を介して送出する機能を有している。また、画像照会端末６０は、画像ファイリングサーバ５０が送出した、上記検索条件に合致する免許証情報と顔画像情報を受け取り、表示装置の画面に検索結果として表示する機能を有している。
【００２３】
また、画像照会端末６０は、入力装置を用いて入力された、顔画像を照会するための検索条件を、免許管理コンピュータ２０へ送出する機能を有している。また、画像照会端末６０は、画像ファイリングサーバ５０が送出した免許証情報と顔画像情報、及び免許管理コンピュータ２０が送出した免許証情報を受け取り、不足情報及び相違情報等を編集し、表示装置の画面に不足情報及び相違情報等を表示する機能を有している。
【００２４】
免許登録端末１０、免許カメラ３０、画像ファイリングサーバ５０、画像照会端末６０は、それぞれ、グループコントローラ等の中間装置を介さずとも、直接、免許管理コンピュータ２０とデータの送受信を行う機能を有している。従って、データの送受信を行うためには、各装置間に通信ネットワーク１００が存在すればよい。
【００２５】
次に、図１乃至図４を参照して、第１の実施の形態の動作について詳細に説明する。なお、以降の説明では、通信ネットワーク１００は、デジタル回線を使用したＷＡＮであるものとする。
【００２６】
図２のフローチャートに示すように、まず最初に、免許担当者は、免許登録端末１０を用いて、免許更新者の運転免許証の更新に必要な免許証番号、生年月日、性別、氏名、住所、免許条件等の情報を入力する（ステップＡ１）。入力が完了すると、免許登録端末１０は、免許証情報更新のため、入力された情報を免許更新情報として免許管理コンピュータ２０へ通信ネットワーク１００を介して送出する(ステップＡ２)。
【００２７】
免許管理コンピュータ２０は、免許登録端末１０から通信ネットワーク１００を介して受け取った免許更新情報と、既に登録されている免許証情報から、新たに発行する運転免許証の免許証情報を生成し、既に登録されている免許証情報を更新する（ステップＡ３）。
【００２８】
次に、免許担当者は、免許更新者の運転免許証の作成に必要となる免許証情報を入手するため、免許カメラ３０の入力装置を用いて、免許更新者の免許証番号を入力する（ステップＡ４）。免許カメラ３０は、入力された免許証番号を免許管理コンピュータ２０へ通信ネットワーク１００を介して送出する（ステップＡ５）。
【００２９】
免許管理コンピュータ２０は、免許カメラ３０から通信ネットワーク１００を介して受け取った免許証番号に対応する免許証情報を、記憶している免許証情報から抽出する（ステップＡ６）。次に、免許管理コンピュータ２０は、抽出した免許証情報を免許カメラ３０へ通信ネットワーク１００を介して送出する（ステップＡ７）。
【００３０】
免許カメラ３０は、免許管理コンピュータ２０から通信ネットワーク１００を介して送られてきた免許証情報を受け取った後、免許更新者の顔画像を撮影し、撮像した免許更新者の顔画像を電子情報として保持する（ステップＡ８）。次に、免許カメラ３０は、免許管理コンピュータ２０から受け取った免許証情報と電子化された顔画像情報を、免許プリンタ４０及び画像ファイリングサーバ５０へそれぞれ通信ネットワーク１００を介して送出する（ステップＡ９）。
【００３１】
免許プリンタ４０は、免許カメラ３０から受け取った免許証情報と顔画像情報に基づいて、運転免許証を作成する（ステップＡ１０）。
【００３２】
画像ファイリングサーバ５０は、免許カメラ３０から通信ネットワーク１００を介して送られてくる免許証情報と顔画像情報を常時監視し、免許証情報と顔画像情報を受け取ると、リアルタイムにデータベースへ登録する（ステップＡ１１）。
【００３３】
次に、免許担当者が運転免許証の再交付等で、免許更新者の免許証情報と顔画像情報を確認する必要が発生した場合、画像照会端末６０を使用し、図３に示すような検索条件入力画面から、免許更新者を特定するための検索条件を入力する（ステップＡ１２）。この画面には、氏名漢字、氏名カナ、性別、生年月日、免許証番号、交付年月日等の検索条件の入力欄が表示される。照会番号は検索条件入力画面毎に自動的に採番される番号である。免許担当者は、この入力欄に必要な検索条件を入力し、検索ボタンをマウス等を用いてクリックすることにより、入力した検索条件に基づいた検索の開始を要求することができる。
【００３４】
画像照会端末６０は、免許担当者からの検索開始要求を受けると（図３の「検索」ボタンをマウスでクリック）、入力された検索条件を画像ファイリングサーバ５０へ通信ネットワーク１００を介して送出する（ステップＡ１３）。
【００３５】
画像ファイリングサーバ５０は、画像照会端末６０から送られてきた検索条件を受け取ると、受け取った検索条件に対応する免許証情報と顔画像情報をデータベースより抽出する（ステップＡ１４）。次に、画像ファイリングサーバ５０は、受け取った検索条件に対応する免許証情報と顔画像情報の抽出が完了すると、抽出した免許証情報と顔画像情報を通信ネットワーク１００を介して画像照会端末６０へ送出する（ステップＡ１５）。
【００３６】
画像照会端末６０は、画像ファイリングサーバ５０から送られてきた免許証情報と顔画像情報を受け取ると、図４に示すように、免許証情報と顔画像情報からなる検索結果表示画面を表示装置の画面に表示する（ステップＡ１６）。免許証情報は、氏名カナ、氏名漢字、生年月日、性別、本籍、住所、交付年月日、照会番号、有効年等からなる。ここで、照会番号は、検索条件入力画面において自動的に採番された番号である。
【００３７】
次に、免許証情報及び顔画像情報の登録漏れをチェックする機能について説明する。画像ファイリングサーバ５０は、免許管理コンピュータ２０から通信ネットワーク１００を介して、免許証情報の更新履歴情報を受け取る。次に、画像ファイリングサーバ５０内に記憶されている免許証情報及び顔画像情報の登録履歴情報と比較する。免許管理コンピュータ２０から受け取った免許証情報の更新履歴情報は、例えば、免許証番号と更新年月日時分秒とからなり、免許証情報および顔画像情報の登録履歴情報は、免許証番号と登録年月日時分秒とからなり、同一の免許証番号に対応する更新年月日時分秒と登録年月日時分秒の時間的な前後関係から、登録漏れがあるか否かを判断する。例えば、更新年月日時分秒が、登録年月日時分秒より新しい（現在に近い）場合、登録漏れがあると判断する。
【００３８】
次に、画像照会端末６０を用いて、画像ファイリングサーバ５０がデータベースに登録している免許証情報及び顔画像情報と、免許管理コンピュータ２０が送出した免許証情報との間の不足情報及び相違情報を検出する機能について説明する。画像照会端末６０の入力装置を用いて、免許証番号を入力すると、入力された免許証番号に対応する免許証情報と顔画像情報が、画像ファイリングサーバ５０から通信ネットワーク１００を介して提供される。
【００３９】
次に、画像照会端末６０は、免許管理コンピュータ２０が送出した免許証情報を通信ネットワーク１００を介して受け取ると、内蔵する記憶装置に記憶しておき、画像ファイリングサーバ５０から提供された免許証情報及び顔画像情報と、免許管理コンピュータ２０が送出した免許証情報を比較する。そして、両者の間の不足情報及び相違情報等を検出し、検出結果を編集し、表示装置の画面に表示する。
【００４０】
以上説明したように、第１の実施の形態により、次のような効果を得ることができる。第１の効果は、従来、免許更新者の顔画像を保存管理するために必要であった申請書（写真付書類）の保管場所を削減することができることである。その理由は、免許証情報と顔画像情報を電子化し、データベースに登録することができるようにしたためである。
【００４１】
第２の効果は、運転免許証の再交付等で免許更新者が本人であるか否かを確認する時間を短縮することができることである。その理由は、従来、申請書（写真付書類）に基づいて行っていた確認作業を、データベースに登録された免許証情報と顔画像情報を、検索条件により抽出し、画面表示し、画面に表示された免許証情報と顔画像情報とに基づいて行うことができるようにしたためである。
【００４２】
第３の効果は、作成する運転免許証の免許証情報と顔画像情報を、運転免許証を作成するのと同時に照会したり、検索することが可能となることである。その理由は、顔画像を撮影した後に、免許証情報と顔画像情報を、免許プリンタ４０及び画像ファイリングサーバ５０へ同時に送出するようにしたためである。
【００４３】
第４の効果は、免許担当者が行ってきた従来の更新手続に負荷を与えることなく、電子化された免許証情報と顔画像情報をデータベースに登録することができることである。その理由は、従来の顔画像撮影の操作から、画像の電子化、送出、データベースへの登録といった一連の流れを自動化したためである。
【００４４】
第５の効果は、免許証情報及び顔画像情報の登録漏れをチェックすることができることである。その理由は、画像ファイリングサーバ５０が、免許管理コンピュータ２０の免許証情報の更新履歴情報と、画像ファイリングサーバ５０の免許証情報及び顔画像情報の登録履歴情報を比較するようにしたからである。
【００４５】
第６の効果は、登録した免許証情報及び顔画像情報の内容をチェックすることができることである。その理由は、画像照会端末６０が、画像ファイリングサーバ５０から免許証情報と顔画像情報を受け取り、免許管理コンピュータ２０から受け取った免許証情報と比較し、不足情報及び相違情報を検出するからである。
【００４６】
次に、本発明の第２の実施の形態について図面を参照して詳細に説明する。本発明の第２の実施の形態は、その構成は、第１の実施の形態と同様であるのでその説明は省略するが、画像ファイリングサーバ５０が免許証情報と顔画像情報をデータベースに登録した後、作成した運転免許証に欠損等の不備があり、再作成が必要な場合、免許カメラ３０が画像ファイリングサーバ５０から免許証情報と顔画像情報を受け取り、免許プリンタ４０へ送出して運転免許証を再作成する点で第１の実施の形態とは異なっている。
【００４７】
従って、免許カメラ３０は、入力された免許証番号を画像ファイリングサーバ５０へ送出し、送出した免許証番号に対応する免許証情報と顔画像情報を、画像ファイリングサーバ５０から通信ネットワーク１００を介して受け取る機能を有する。また、免許カメラ３０は、画像ファイリングサーバ５０から受け取った免許証情報と顔画像情報を免許プリンタ４０へ送出する機能を有する。
【００４８】
画像ファイリングサーバ５０は、免許カメラ３０が送出した免許証番号を受け取り、データベースから該当する免許証情報と顔画像情報を抽出し免許カメラ３０へ送出する機能を有する。
【００４９】
次に、図５のフローチャートを参照して、第２の実施の形態の動作について説明する。画像ファイリングサーバ５０が通信ネットワーク１００を介して免許カメラ３０から免許証情報と顔画像情報を受け取り、データベースへ登録するまでの動作（ステップＢ１乃至ステップＢ１１）は、第１の実施の形態の動作（ステップＡ１乃至ステップＡ１１）と同様である。
【００５０】
作成した運転免許証に欠損等の不備があることが分かり、再作成が必要な場合、免許担当者は、免許カメラ３０の入力装置を用いて、再作成する運転免許証の免許証番号を入力する（ステップＢ１２）。免許カメラ３０は、入力された免許証番号を画像ファイリングサーバ５０へ送出する（ステップＢ１３）。
【００５１】
画像ファイリングサーバ５０は、免許カメラ３０から送られてきた免許証番号を受け取ると、受け取った免許証番号に対応する免許証情報と顔画像情報をデータベースから抽出する（ステップＢ１４）。次に、画像ファイリングサーバ５０は、抽出した免許証情報と顔画像情報を免許カメラ３０へ送出する（ステップＢ１５）。
【００５２】
免許カメラ３０は、画像ファイリングサーバ５０から送られてきた免許証情報と顔画像情報を受け取ると、図４に示すように、免許証情報と顔画像情報を表示装置の画面に表示する（ステップＢ１６）。免許担当者が表示装置の画面に表示された表示内容を確認し、再作成を指示すると、免許カメラ３０は、画像ファイリングサーバ５０から受け取った免許証情報と顔画像情報を免許プリンタ４０へ送出する（ステップＢ１７）。
【００５３】
免許プリンタ４０は、免許カメラ３０から送られてきた免許証情報と顔画像情報を受け取ると、受け取った免許証情報と顔画像情報に基づいて運転免許証を再作成する（ステップＢ１８）。
【００５４】
以上のように、第２の実施の形態は、既にデータベースに保存しておいた顔画像情報を用いて運転免許証の再作成ができるため、運転免許証の再作成のために免許更新者を呼び出し、顔画像の撮影を行うという事態の発生を避けることができ、運転免許証の再作成を迅速かつ効率的に行うことができる。
【００５５】
また、上述したような処理を実行するプログラムは、ＣＤ−ＲＯＭ（ｃｏｍｐａｃｔ  ｄｉｓｃ  ｒｅａｄ  ｏｎｌｙ  ｍｅｍｏｒｙ）、ＤＶＤ（ｄｉｇｉｔａｌ  ｖｅｒｓａｔｉｌｅ  ｄｉｓｃ）、フロッピーディスク、メモリカード等の様々な記録媒体に記録して提供することができる。そして、そのプログラムは、免許証更新システムの動作を制御し、プログラム制御されたその免許証更新システムが上記プログラムにより指令される所定の処理を実行する。
【００５６】
なお、上記各実施の形態においては、運転免許証を更新する場合について説明したが、他の証明書等を更新する場合にも本発明を適用することができる。
【００５７】
また、上記実施の形態の構成及び動作は例であって、本発明の趣旨を逸脱しない範囲で適宜変更することができることは言うまでもない。
【００５８】
【発明の効果】
以上の如く、本発明に係る免許証更新方法によれば、所定の端末から入力された所定の運転免許証の更新情報を所定の管理装置に送出し、更新情報に基づいて、管理装置に記憶されている運転免許証の免許証情報を更新し、所定の撮像装置を用いて撮像された運転免許証に対応する顔画像の情報と、更新済みの免許証情報を所定の印刷装置および画像ファイリング装置に送出し、画像ファイリング装置において、顔画像の情報と免許証情報とを対応付けて所定のデータベースに登録し、印刷装置において、顔画像の情報と、顔画像の情報に対応する免許証情報とに基づいて、運転免許証を印刷するようにしたので、運転免許証の更新を迅速かつ効率的に行うことができ、データを保管するスペースを削減することができる。
また、顔画像情報が、印刷装置および画像ファイリング装置に同時に送出されるようにし、印刷装置における運転免許証の印刷と、画像ファイリング装置における免許証情報と顔画像の情報の記憶とが、ほぼ同時に行われるようにすれば、運転免許証の作成と同時に、免許証情報及び顔画像の情報の照会及び検索を行うことができる。
また、印刷装置が、画像ファイリング装置に記憶されている顔画像の情報と、顔画像の情報に対応する免許証情報とに基づいて、運転免許証を印刷するようにすれば、印刷された運転免許証に欠損等の不備があり、再作成が必要な場合でも、顔画像を改めて撮像する必要がなく、運転免許証の更新作業を迅速に行うことができる。
また、運転免許証の更新履歴を示す更新履歴情報を管理装置に記憶させ、顔画像の情報と免許証情報の登録履歴を示す登録履歴情報を画像ファイリング装置に記憶させ、更新履歴情報と、登録履歴情報とに基づいて、登録漏れをチェックするようにすれば、免許更新作業の信頼性を高めることができる。
【図面の簡単な説明】
【図１】本発明が適用される免許証更新システムの第１の実施の形態の構成例を示す図である。
【図２】第１の実施の形態の動作を説明するためのフローチャートである。
【図３】検索条件入力画面例を示す図である。
【図４】検索結果表示画面例を示す図である。
【図５】本発明の免許証更新システムの第２の実施の形態の動作を説明するためのフローチャートである。
【符号の説明】
１０  免許登録端末
２０  免許管理コンピュータ
３０  免許カメラ
４０  免許プリンタ
５０  画像ファイリングサーバ
６０  画像照会端末
【図１】
0003667657.tif 000002
【図２】
0003667657.tif 000003
【図３】
0003667657.tif 000004
【図４】
0003667657.tif 000005
【図５】
0003667657.tif 000006